【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
入力された映像信号から動画像を再生し、再生した動画像から間欠的に代表画面を検出する検出手段と、
上記入力された映像信号の付加情報を再生する付加情報再生手段と、
上記付加情報に応じて上記検出手段により検出する代表画面の間欠間隔を制御する制御手段と、
上記代表画面を記録媒体に記録する記録手段と
を備える映像信号記録装置。
【請求項２】
上記記録手段は、入力された映像信号とともに、上記代表画面の映像信号を記録媒体に記録すること
を特徴とする請求項１に記載の映像信号記録装置。
【請求項３】
入力された映像信号のうち代表画面が含まれる部分を示す識別信号を生成する識別信号生成手段を備え、
上記記録手段は、入力された映像信号に上記識別信号を付加して、この映像信号を記録媒体に記録すること
を特徴とする請求項１に記載の映像信号記録装置。
【請求項４】
上記制御手段は、入力された映像信号の内容に応じて上記検出手段により検出する代表画面の間欠間隔を制御すること
を特徴とする請求項１に記載の映像信号記録装置。
【請求項５】
上記制御手段は、入力された映像信号の放送時間に応じて上記検出手段により検出する代表画面の間欠間隔を制御すること
を特徴とする請求項１に記載の映像信号記録装置。
【請求項６】
上記制御手段は、入力された映像信号の供給元に応じて上記検出手段により検出する代表画面の間欠間隔を制御すること
を特徴とする請求項１に記載の映像信号記録装置。
【請求項７】
入力された映像信号から動画像を再生し、再生した動画像から間欠的に代表画面を検出する検出手段と、
上記入力された映像信号の特徴量を検出する特徴量検出手段と、
上記特徴量に応じて上記検出手段により検出する代表画面の間欠間隔を制御する制御手段と、
上記代表画面を記録媒体に記録する記録手段と
を備える映像信号記録装置。
【請求項８】
上記記録手段は、入力された映像信号とともに、上記代表画面の映像信号を記録媒体に記録すること
を特徴とする請求項７に記載の映像信号記録装置。
【請求項９】
入力された映像信号のうち代表画面が含まれる部分を示す識別信号を生成する識別信号生成手段を備え、
上記記録手段は、入力された映像信号に上記識別信号を付加して、この映像信号を記録媒体に記録すること
を特徴とする請求項７に記載の映像信号記録装置。
【請求項１０】
上記特徴量検出手段は、入力された映像信号の動き量を検出し、上記制御手段は、上記動き量に応じて上記検出手段により検出する代表画面の間欠間隔を制御すること
を特徴とする請求項７に記載の映像信号記録装置。
【請求項１１】
上記特徴量検出手段は、入力された映像信号のテロップ信号を検出し、
上記制御手段は、上記テロップ信号に応じて上記検出手段により検出する代表画面の間欠間隔を制御すること
を特徴とする請求項７に記載の映像信号記録装置。
【請求項１２】
上記特徴量検出手段は、入力された映像信号の場面変化点を検出し、
上記制御手段は、上記場面変化点に応じて上記検出手段により検出する代表画面の間欠間隔を制御すること
を特徴とする請求項７に記載の映像信号記録装置。
【請求項１３】
入力された映像信号から動画像を再生し、再生した動画像から間欠的に代表画面を検出する検出手段と、
上記入力された映像信号の付加情報を再生する付加情報再生手段と、
上記入力された映像信号の特徴量を検出する特徴量検出手段と、
上記付加情報及び上記特徴量に応じて上記検出手段により検出する代表画面の間欠間隔を制御する制御手段と、
上記代表画面を記録媒体に記録する記録手段と
を備える映像信号記録装置。
【請求項１４】
上記記録手段は、入力された映像信号とともに、上記代表画面の映像信号を記録媒体に記録すること
を特徴とする請求項１３に記載の映像信号記録装置。
【請求項１５】
入力された映像信号のうち代表画面が含まれる部分を示す識別信号を生成する識別信号生成手段を備え、
上記記録手段は、入力された映像信号に上記識別信号を付加して、この映像信号を記録媒体に記録すること
を特徴とする請求項１３に記載の映像信号記録装置。
【請求項１６】
入力された映像信号から動画像を再生し、
上記入力された映像信号の付加情報を再生し、
上記付加情報に応じて検出する代表画面の間欠間隔を変化させ、再生した動画像から間欠的に代表画面を検出し、
上記代表画面を記録媒体に記録すること
を特徴とする映像信号記録方法。
【請求項１７】
入力された映像信号とともに、上記代表画面の映像信号を記録媒体に記録すること
を特徴とする請求項１６に記載の映像信号記録方法。
【請求項１８】
入力された映像信号のうち代表画面が含まれる部分を示す識別信号を生成し、
入力された映像信号に上記識別信号を付加して、この映像信号を記録媒体に記録すること
を特徴とする請求項１６に記載の映像信号記録方法。
【請求項１９】
入力された映像信号の内容に応じて、検出する代表画面の間欠間隔を変化させること
を特徴とする請求項１６に記載の映像信号記録方法。
【請求項２０】
入力された映像信号の放送時間に応じて、検出する代表画面の間欠間隔を変化させること
を特徴とする請求項１６に記載の映像信号記録方法。
【請求項２１】
入力された映像信号の供給元に応じて、検出する代表画面の間欠間隔を変化させること
を特徴とする請求項１６に記載の映像信号記録方法。
【請求項２２】
入力された映像信号から動画像を再生し、
上記入力された映像信号の特徴量を検出し、
上記特徴量に応じて検出する代表画面の間欠間隔を変化させ、再生した動画像から間欠的に代表画面を検出し、
上記代表画面を記録媒体に記録すること
を特徴とする映像信号記録方法。
【請求項２３】
入力された映像信号とともに、上記代表画面の映像信号を記録媒体に記録すること
を特徴とする請求項２２に記載の映像信号記録方法。
【請求項２４】
入力された映像信号のうち代表画面が含まれる部分を示す識別信号を生成し、
入力された映像信号に上記識別信号を付加して、この映像信号を記録媒体に記録すること
を特徴とする請求項２２に記載の映像信号記録方法。
【請求項２５】
入力された映像信号の動き量を検出し、
上記動き量に応じて検出する代表画面の間欠間隔を変化させること
を特徴とする請求項２２に記載の映像信号記録方法。
【請求項２６】
入力された映像信号のテロップ信号を検出し、
上記テロップ信号に応じて検出する代表画面の間欠間隔を変化させること
を特徴とする請求項２２に記載の映像信号記録方法。
【請求項２７】
入力された映像信号の場面変化点を検出し、
上記場面変化点に応じて検出する代表画面の間欠間隔を変化させること
を特徴とする請求項２２に記載の映像信号記録方法。
【請求項２８】
入力された映像信号から動画像を再生し、
上記入力された映像信号の付加情報を再生し、
上記入力された映像信号の特徴量を検出し、
上記付加情報及び上記特徴量に応じて検出する代表画面の間欠間隔を変化させ、再生した動画像から間欠的に代表画面を検出し、
上記代表画面を記録媒体に記録すること
を特徴とする映像信号記録方法。
【請求項２９】
入力された映像信号とともに、上記代表画面の映像信号を記録媒体に記録すること
を特徴とする請求項２８に記載の映像信号記録方法。
【請求項３０】
入力された映像信号のうち代表画面が含まれる部分を示す識別信号を生成し、
入力された映像信号に上記識別信号を付加して、この映像信号を記録媒体に記録すること
を特徴とする請求項２８に記載の映像信号記録方法。
【手続補正２】
【補正対象書類名】明細書
【補正対象項目名】０００６
【補正方法】変更
【補正の内容】
【０００６】
【課題を解決するための手段】
上述の課題を解決するために、本発明に係る映像信号記録装置は、入力された映像信号から動画像を再生し、再生した動画像から間欠的に代表画面を検出する検出手段と、上記入力された映像信号の付加情報を再生する付加情報再生手段と、上記付加情報に応じて上記検出手段により検出する代表画面の間欠間隔を制御する制御手段と、上記代表画面を記録媒体に記録する記録手段とを備える。


【手続補正３】
【補正対象書類名】明細書
【補正対象項目名】０００８
【補正方法】変更
【補正の内容】
【０００８】
本発明に係る映像信号記録装置は、入力された映像信号から動画像を再生し、再生した動画像から間欠的に代表画面を検出する検出手段と、上記入力された映像信号の特徴量を検出する特徴量検出手段と、上記特徴量に応じて上記検出手段により検出する代表画面の間欠間隔を制御する制御手段と、上記代表画面を記録媒体に記録する記録手段とを備える。


【手続補正４】
【補正対象書類名】明細書
【補正対象項目名】００１０
【補正方法】変更
【補正の内容】
【００１０】
本発明に係る映像信号記録装置は、入力された映像信号から動画像を再生し、再生した動画像から間欠的に代表画面を検出する検出手段と、上記入力された映像信号の付加情報を再生する付加情報再生手段と、上記入力された映像信号の特徴量を検出する特徴量検出手段と、上記付加情報及び上記特徴量に応じて上記検出手段により検出する代表画面の間欠間隔を制御する制御手段と、上記代表画面を記録媒体に記録する記録手段とを備える。


【手続補正５】
【補正対象書類名】明細書
【補正対象項目名】００１２
【補正方法】変更
【補正の内容】
【００１２】
本発明に係る映像信号記録方法は、入力された映像信号から動画像を再生し、上記入力された映像信号の付加情報を再生し、上記付加情報に応じて検出する代表画面の間欠間隔を変化させ、再生した動画像から間欠的に代表画面を検出し、上記代表画面を記録媒体に記録することを特徴とする。


【手続補正６】
【補正対象書類名】明細書
【補正対象項目名】００１４
【補正方法】変更
【補正の内容】
【００１４】
本発明に係る映像信号記録方法は、入力された映像信号から動画像を再生し、上記入力された映像信号の特徴量を検出し、上記特徴量に応じて検出する代表画面の間欠間隔を変化させ、再生した動画像から間欠的に代表画面を検出し、上記代表画面を記録媒体に記録することを特徴とする。


【手続補正７】
【補正対象書類名】明細書
【補正対象項目名】００１６
【補正方法】変更
【補正の内容】
【００１６】
本発明に係る映像信号記録方法は、入力された映像信号から動画像を再生し、上記入力された映像信号の付加情報を再生し、上記入力された映像信号の特徴量を検出し、上記付加情報及び上記特徴量に応じて検出する代表画面の間欠間隔を変化させ、再生した動画像から間欠的に代表画面を検出し、上記代表画面を記録媒体に記録することを特徴とする。


【手続補正８】
【補正対象書類名】明細書
【補正対象項目名】００３５
【補正方法】変更
【補正の内容】
【００３５】
音声信号圧縮回路１３には、音声信号検出処理回路１２からのデジタル音声信号が入力される。音声信号圧縮回路１３は、音声信号切換回路１１からのデジタルの音声信号を例えばＭＰＥＧオーディオ方式等で圧縮し記録処理回路１４に供給する。記録処理回路１４には、映像信号圧縮回路７からのデジタル映像信号及び音声信号圧縮回路１３からのデジタル音声信号が入力される。記録処理回路１４は、このデジタル映像信号とデジタル音声信号を所定のフォーマットで合成し、すなわち、記録媒体１５の記録フォーマットに応じて合成する。また、いわゆるＦＡＴ（File Allocation Table），ＴＯＣ（Table Of Contents），サブコード等と呼ばれるファイル管理情報等を記録する記録媒体に合わせて生成し、デジタル映像信号及びデジタル音声信号とともに合成する。なお、これらのファイル管理情報等は、システムコントローラ２０により生成して、記録処理回路１４が映像信号等と合成して記録も良い。そして、記録処理回路１４は、これらの記録する映像信号等を所定の方式で変調し、及び、エラー訂正符号の付加処理等をして記録媒体１５に記録をする。


【手続補正９】
【補正対象書類名】明細書
【補正対象項目名】００３６
【補正方法】変更
【補正の内容】
【００３６】
記録媒体１５は、例えば、磁気ディスク、光磁気ディスク、光ディスク、半導体メモリ、磁気テープ等どのような記録媒体であってもよい。


【手続補正１０】
【補正対象書類名】明細書
【補正対象項目名】００６６
【補正方法】変更
【補正の内容】
【００６６】
システムコントローラ２０は、図２に示すステップＳ１において、予め所定の閾値Ａ及び閾値Ｂをデータベース２１から読み込んでおく。これらの閾値は、映像信号の動き量から間引き率を設定する為の閾値であり、閾値Ａは動き量の上限を示す閾値で、閾値Ｂは動き量の下限を示す閾値である。従って、閾値Ａと閾値Ｂとの関係は、閾値Ａ＞閾値Ｂとなる。また、システムコントローラ２０は、図２に示すステップＳ３において、特徴量として映像信号の動き量を特徴量検出回路１７から読出しておく。なお、ここでの動き量は、各フレーム毎の動き量ではなく、例えば、３０フレームや数１０フレームといった一定時間における映像信号の平均動き量である。


【手続補正１１】
【補正対象書類名】明細書
【補正対象項目名】００７４
【補正方法】変更
【補正の内容】
【００７４】
システムコントローラ２０は、図２に示すステップＳ１において、予め所定の閾値Ｃ及び閾値Ｄをデータベース２１から読み込んでおく。これらの閾値は、映像信号の間引き量を判断する為の閾値であり、閾値Ｃはテロップ量の上限を示す閾値で、閾値Ｄはテロップ量の下限を示す閾値である。従って、閾値Ｃと閾値Ｄとの関係は、閾値Ｃ＞閾値Ｄとなる。また、システムコントローラ２０は、図２に示すステップＳ３において、特徴量として映像信号のテロップ量を特徴量検出回路１７から読出しておく。なお、ここでのテロップ量は、各フレーム毎のテロップ量ではなく、例えば、１分や数１０分といった一定時間における映像信号の平均テロップ量である。